(57)【要約】      （修正有）【課題】ダーツ競技で使用するダーツの尾翼であるフライトと呼ばれる部品を収納するためのケースの形状、フライトを保持する仕組み、及びフライトをケースから取り出す仕組みを提供する。【解決手段】収納部は３枚のフライトをはさむようにし、フライトを面で押さえて変形を防ぐと共に、フライト自身の復元力によって生じる摩擦でフライトがケースから飛び出すのを防いだ。フライトが見える細長い窓を備え、フライトを取り出すときはダーツの先端を窓に入れて、フライトを押し出すようにした。その際フライトをダーツの先端で傷つけぬよう、内部にダーツの先端を案内する溝を備えた。また、窓の位置を中央からずらして、力を入れなくてもフライトが容易に出てくるようにした。【選択図】図１
0003111734.tif 000002
【実用新案登録請求の範囲】
【請求項１】
蓋や、フライトを保持するためのバネなどの押さえが無く、折りたたんだ３枚のフライトをコの字形に密着して挟み込む形状をしており、フライトを折りたたんだときのフライトの復元力によって生じる摩擦でフライトを保持する収納部（１）を備えた、ダーツ用フライトケース。
【請求項２】
収納されたフライトを確認できる窓（２）を備えており、フライトを取り出す時は、ダーツの先端をこの窓（２）に入れてフライトを押し出せるように、窓（２）が細長くなっている、請求項１に記載するダーツ用フライトケース。
【請求項３】
前記の方法でフライトを取り出す際に、ダーツの先端でフライトを傷つけないよう、窓（２）の直下にダーツの先端を案内する溝（３）を備えた、請求項２に記載するダーツ用フライトケース。
【請求項４】
前記の方法でフライトを取り出す際に、フライトを強く押し出さなくても、フライトが、てこの原理によってケース側面方向へ回転しながら容易に押し出されるよう、前記窓（２）及び溝（３）をケースの中央からずらして配置した、請求項２に記載するダーツ用フライトケース。
【考案の詳細な説明】
【技術分野】
【０００１】  本考案は、ダーツ競技で使用するダーツの尾翼である、フライトと呼ばれる部品を収納するためのケースの形状、フライトを保持する仕組み、及びフライトをケースから取り出す仕組みに関するものである。
【背景技術】
【０００２】  当該考案の属する分野の製品としては、英国Ｕｎｉｃｏｒｎ社の、Ｆｌｉｇｈｔ  Ｍａｔｅという製品がある。英国Ｕｎｉｃｏｒｎ社のＦｌｉｇｈｔ  Ｍａｔｅは、入れ物がフライトの形をしており、蓋は無く、ケース内に設けた板バネ状の部品でフライトを保持するようになっていて、フライトを１２枚収納することが出来るようになっている。
【考案の開示】
【考案が解決しようとする課題】
【０００３】  ダーツ競技は、ダーツバーなどで行われることが多いが、競技の特性上、競技者は自分の慣れ親しんでいるダーツを使用する。そのため競技者は自分のダーツを持ち運ぶ機会が多い。しかし、ダーツの尾翼のフライトと呼ばれる部品は、ダーツの飛び方に大きな影響を与え、競技での成績を大きく左右するにもかかわらず、薄いプラスチックなどで出来ているために変形しやすい。また、変形してしまった時のために予備を持ち歩くことも多い。それで、持ち運ぶ際のフライトの変形を防ぐためにフライトケースを使用する。しかし、従来の製品では、フライトを板バネ状の部品で押さえて保持するという構造上、ケース内にフライトが適正な数入っていないとバネがゆるい上に、蓋が無く開口部も大きいために、フライトがケースから飛び出したり（ダーツ競技では３本のダーツを使用するため、使用するのは３枚であり、予備を含めても６枚を持って歩くのが普通である。しかし前記英国Ｕｎｉｃｏｒｎ社のＦｌｉｇｈｔ  Ｍａｔｅは１２枚収納するようになっており、３枚から６枚程度ではバネがゆる過ぎる。）、バネがフライトの中央を部分的に押さえつけて保持するためにフライトが変形したり、フライトの形状がケースに合っていないとフライトをうまくケース内に保持出来なかったりといった問題があった。また、たくさんのフライトを重ねて収納するようになっているので、目的のフライトを探し出すのが、収納された状態では難しいという問題もあった。
【課題を解決するための手段】
【０００４】  ケースには蓋のようなものは無く、フライトをケース内に保持するためには、折りたたんだフライトの復元力によるフライトとケースの間の摩擦力を利用する。フライトの収納部はコの字形にフライトをはさみ込むようにし、正面は開いており、また、両側面のうち少なくとも片側は開いている。ダーツ競技では、フライトは通常３枚１組として使用するので、収納部にはフライトを３枚収納できるようにした。ケース上面にはフライトを確認でき、フライトを取り出す際にも使用する細長い窓を備えた。フライトを取り出す際には、この窓にダーツの先端の尖った部分を入れて、フライトをダーツの先端で押し出すようにした。また、取り出す際にダーツの先端の尖った部分でフライトを傷つけないように、ダーツの先端を案内する溝を設けた。この窓と案内溝がケースの中央にあると、フライトを押し出す際に力が必要になる上、もしダーツの先端でフライトの先端部分をつぶしてしまうと、ダーツに装着する際に大変苦労するので、窓と案内溝の位置を、ケースの中央からずらした。
【考案の効果】
【０００５】  フライトをフライトの両側から密着して保持することによって、フライトとケースが平面で接するので、フライトが変形するのを防ぐことが出来た。また、蓋が無く、側面も開いているために、ほぼ全てのフライトの大きさや形に対応することが出来た。３枚ずつ収納するようになっており、中身が確認できる窓もついているので、たくさんのフライトが入ったケースから目的の３枚１組のフライトを探し出す煩わしさが解消された。フライトをダーツの先端で押し出すという取り出し方が洒落ており、フライトを取り出すのが面白いという効果があった。ダーツの先端を案内する溝を設けることにより、フライトを傷つけることなく、スムーズに押し出すことが出来た。押し出す際にダーツの先端を入れる窓と、ダーツの先端を案内する溝を中央からずらして設置したことにより、てこの原理で、フライトが回転しながら横にずれて、容易に取り出すことが出来、フライトの先端を傷つけてしまうことも防いだ。
【考案を実施するための最良の形態】
【０００６】  ケースの内側のフライト収納部の、フライトと接する部分は、フライトとの摩擦が生じる必要があるため、あまり滑らかではいけないが、あまり摩擦が大きくてもフライトを磨耗させる。そのため、ケースの材料は、木や、プラスチックなどにして、収納部内壁は、表面をサンドペーパーの３２０番から８００番程度で仕上げたものが良い。フライトを収納する部分のフライトの厚さ方向の広さは、フライト３枚を折りたたんで重ねた厚さよりやや広くした、２．５ｍｍから２．８ｍｍほどにするのが良いようである。少し余分に空間を設けることで、出し入れがスムーズになるが、あまり余分に空間を設けると、フライトがケース内の壁に、フライトの面全体で接することが出来ず、フライトが反ってしまったり、フライトがゆるすぎて、ケースから飛び出してしまうことがある。本考案の特徴を備えたフライトケースをダーツケースと組み合わせたり、本考案の特徴を備えたフライトケースの外形をハート形や球形にしたり、本考案のフライトケースを複数個組み合わせて、たくさんのフライトを収納できるようにするなど、趣向を凝らしたデザインにして付加価値をつけることも可能である。
【実施例】
【０００７】  本考案の特徴を備え、フライトケースのコの字形を互い違いに２つつなげてＳ字形に組み合わせ、２組６枚のフライトを収納できるようにしたフライトケース。
【産業上の利用可能性】
【図面の簡単な説明】
【０００８】
【図１】フライトを収納する時の使用状態図
【図２】フライトが収納された時の使用状態図
【図３】フライトを取り出す時の使用状態図
【図４】平面図
【図５】斜視図
【図１】
0003111734.tif 000003
【図２】
0003111734.tif 000004
【図３】
0003111734.tif 000005
【図４】
0003111734.tif 000006
【図５】
0003111734.tif 000007
【手続補正書】
【提出日】平成17年3月15日(2005.3.15)
【手続補正１】
【補正対象書類名】実用新案登録請求の範囲
【補正対象項目名】全文
【補正方法】変更
【補正の内容】
【実用新案登録請求の範囲】
【請求項１】
フライトを折りたたんだときのフライトの復元力によって生じる摩擦でフライトを保持するために、フライトの全長と同じ位の深さで、フライト３枚を折りたたんで重ねた厚さよりわずかに広い幅の溝で出来た収納部（１）を備えた、ダーツ用フライトケース。